(57)【要約】  本発明は、一般に、電力消費を減少するための方法及び構成体(600)と、ＲＦ送信構成体及びＲＦ受信器とに係る。特に、本発明は、無線受信器において電力消費を制御しそして減少することに係る。本発明の本質的な考え方は、少なくとも１つの記号に情報を挿入し、この記号は、少なくとも１つの搬送ストリームパケットにおいて転送される。本発明によれば、搬送ストリームパケットは、所定の順序で受信器へ送信され、この順序が受信器に通知され、その際に、受信器は、搬送ストリームパケットレベルの分解能で電力消費を制御することができる。受信器は、その少なくとも一部分が、少なくとも２つの搬送ストリームパケット間の時間中のある周期中にターンオフされるように構成されるのが好都合である。本発明は、デジタルビデオ放送（ＤＶＢ）システムの受信器のように、情報がパケットで転送される無線システムの受信構成体に好都合に適用できる。
2005510115.tif 000002
【特許請求の範囲】
【請求項１】
搬送ストリームパケットを受け取る無線受信器(500)の電力消費を制御するための方法であって、選択された搬送ストリームパケットを所定の順序で上記受信器(500)へ転送する方法(200, 300)において、
−少なくとも２つの選択された搬送ストリームパケット間の時間中のある周期中に上記受信器(500)の少なくとも一部分の電力をターンオフし(318)、そして
−後続する選択された搬送ストリームパケットの少なくとも１つをいつ受信すべきか上記受信器(500)に通知する(316)、
という段階を備えた方法。
【請求項２】
上記受信器(500)は、選択された搬送ストリームパケットを受信すべき順序について通知される(206)請求項１に記載の方法(200, 300)。
【請求項３】
上記搬送ストリームパケットは、上記受信器(500)へ周期的に送信され(208)、上記周期は、時間に基づくか又はデータコンテンツに基づく請求項１に記載の方法(200, 300)。
【請求項４】
上記搬送ストリームパケットは、所定周期の搬送ストリームパケットを与えるか又は所定周期の記号を与えるためにタイムジェネレータにより発生される請求項１に記載の方法(200, 300)。
【請求項５】
上記周期性は、少なくとも１つのデータグラムにより、又はサービス情報(SI)における関連データにより、或いは相互作用チャンネル(710)において受信器(500)へ通信される(206)請求項１に記載の方法(200, 300)。
【請求項６】
上記周期性は、インテリジェントアルゴリズムを使用して上記受信器(500)により自動的に検出される(308)請求項１に記載の方法(200, 300)。
【請求項７】
上記受信器(500)は、上記周期にロックインされる(312)請求項１に記載の方法(200, 300)。
【請求項８】
ＲＦ及び他の直交周波数分割マルチプレクス(OFDM)変調器部分の後にパケットレベル電力制御機構が使用される請求項１に記載の方法(200, 300)。
【請求項９】
ターンオフ／オンされる上記受信器(500)の部分は、次のもの、即ちＲＦ部分(522)の制御手段、フロントエンド(524)のデジタル部分、デマルチプレクサ(526)の制御手段、マイクロプロセッサ(528)、媒体デコーダ(530)、ディスプレイ(532)、及び全受信ターミナル、の少なくとも１つである請求項１に記載の方法(200, 300)。
【請求項１０】
搬送ストリームパケットを受け取る無線受信器(500)の電力消費を制御するための構成体(700)であって、無線送信構成体(400)及び無線受信器(500)と、選択された搬送ストリームパケットを所定の順序で上記無線受信器(500)へ転送する手段とを備えた構成体(700)において、
−少なくとも２つの選択された搬送ストリームパケット間の時間中のある周期中に上記受信器(500)の少なくとも一部分の電力をターンオフする手段(702)と、
−後続する選択された搬送ストリームパケットの少なくとも１つをいつ受信すべきか上記受信器に通知する手段(704)と、
を備えた構成体。
【請求項１１】
上記構成体(700)は、選択された搬送ストリームパケットを受信すべき順序について上記受信器(500)に通知する手段(704, 708, 710)を備えた請求項１０に記載の構成体(700)。
【請求項１２】
上記構成体(700)は、搬送ストリームパケットを上記受信器(500)へ周期的に転送する手段(706)を備えた請求項１０に記載の構成体(700)。
【請求項１３】
上記構成体(700)は、所定周期の搬送ストリームパケットを与えるか又は所定周期の記号を与えるためにタイムジェネレータにより搬送ストリームパケットを発生するように構成された請求項１０に記載の構成体(700)。
【請求項１４】
上記構成体(700)は、少なくとも１つのデータグラムにより、又はサービス情報(SI)における関連データにより、或いは相互作用チャンネル(710)において上記受信器(500)へ周期性を通信するための手段(704, 708)を備えた請求項１０に記載の構成体(700)。
【請求項１５】
上記構成体(700)は、インテリジェントアルゴリズムを使用して上記受信器(500)により周期性を自動的に検出するための手段(712)を備えた請求項１０に記載の構成体(700)。
【請求項１６】
上記構成体(700)は、上記受信器を上記周期性にロックインするための手段(714)を備えた請求項１０に記載の構成体(700)。
【請求項１７】
上記構成体(700)は、ＲＦ及び他の直交周波数分割マルチプレクス(OFDM)変調器部分の後にパケットレベル電力制御機構を使用するための手段(702)を備えた請求項１０に記載の構成体(700)。
【請求項１８】
搬送ストリームパケットを発生して受信器(500)へ所定の順序で転送する無線送信構成体(400)であって、選択された搬送ストリームパケットを所定の順序で上記受信器へ転送する手段を備えた無線送信構成体(400)において、
−順序、即ち後続する選択された搬送ストリームパケットの少なくとも１つをいつ受信すべきかを上記受信器(500)に通知する手段(408, 410, 412)、
を備えた無線送信構成体。
【請求項１９】
上記順序は、周期的であり、そして上記構成体(400)は、その周期性を上記受信器へ通信するための手段(408, 410, 412)を備えた請求項１８に記載の無線送信構成体(400)。
【請求項２０】
上記構成体(400)は、少なくとも１つのデータグラムにより、又はサービス情報(SI)における関連データにより、或いは相互作用チャンネル(710)において上記受信器へ周期性を通信するための手段(408, 410, 412)を備えた請求項１８に記載の無線送信構成体(400)。
【請求項２１】
上記構成体(400)は、搬送ストリームパケットを発生すると共に、所定周期の搬送ストリームパケットを与えるか又は所定周期の記号を与えるための搬送ストリームパケットジェネレータ(414)を備えた請求項１８に記載の無線送信構成体(400)。
【請求項２２】
上記構成体(400)は、搬送ストリームパケットを上記受信器へ周期的に転送するための手段(404, 406)を備えた請求項２５に記載の無線送信構成体(400)。
【請求項２３】
上記構成体(400)は、時間又はデータコンテンツに基づいて周期性を与えるように構成された請求項２５に記載の無線送信構成体(400)。
【請求項２４】
搬送ストリームパケットを受信するための無線受信器(500)であって、選択された搬送ストリームパケットを所定の順序で受信するように構成された無線受信器(500)において、
−後続する選択された搬送ストリームパケットの少なくとも１つをいつ受信すべきかの情報を受け取る手段(504, 508, 510, 512)と、
−少なくとも２つの選択された搬送ストリームパケット間の時間中のある周期中に上記受信器の少なくとも一部分の電力をターンオフする手段(514, 516)と、
を備えた無線受信器。
【請求項２５】
上記受信器(500)は、受信されるべき選択された搬送ストリームパケットの周期性に関する通信を受け取るための手段(504)を備えた請求項２４に記載の無線受信器(500)。
【請求項２６】
上記受信器(500)は、時間に基づく周期又はデータコンテンツに基づく周期で搬送ストリームパケットを受信するように構成された請求項２４に記載の無線受信器(500)。
【請求項２７】
上記受信器(500)は、少なくとも１つのデータグラムにより、又はサービス情報(SI)メッセージにおける関連データにより、或いは相互作用チャンネルから周期性に関する通信を受け取るための手段(508, 510, 512)を備えた請求項２４に記載の無線受信器(500)。
【請求項２８】
上記受信器(500)は、インテリジェントアルゴリズムを使用することにより周期性を自動的に検出するための手段(518)を備えた請求項２４に記載の無線受信器(500)。
【請求項２９】
上記受信器(500)は、上記周期性にロックインするための手段(520)を備えた請求項２４に記載の無線受信器(500)。
【請求項３０】
上記受信器(500)は、ＤＶＢ受信器である請求項２４に記載の無線受信器(500)。
【請求項３１】
搬送ストリームパケットを受信する無線受信器(500)の電力消費を制御するためのコンピュータプログラム製品(514)であって、選択された搬送ストリームパケットを所定の順序で上記受信器(500)へ転送するようにするコンピュータプログラム製品(514)において、
−少なくとも２つの搬送ストリームパケット間の時間中のある周期中に上記受信器(500)の少なくとも一部分の電力をターンオフするためのコンピュータプログラムコードと、
−後続する選択された搬送ストリームパケットの少なくとも１つをいつ受信すべきか上記受信器(500)に通知するためのコンピュータプログラムコードと、
を備えたコンピュータプログラム製品。
【発明の詳細な説明】
【技術分野】
【０００１】
本発明は、一般に、電力消費に対する方法及び構成体と、ＲＦ送信構成体及びＲＦ受信器とに係る。より詳細には、本発明は、無線受信器において電力消費を制御しそして減少することに係る。
【背景技術】
【０００２】
ＤＶＢ（デジタルビデオ放送）システム及びＤＶＢ受信器を一例として以下に説明するが、本発明の使用は、ＤＶＢシステムのみに限定されない。デジタルビデオ放送は、開発中であり、アナログ放送システムに徐々に置き換わることが明らかである。その理由は、新たな形式のサービス、デジタル通信、及び優れたサービスクオリティを提供できるからである。デジタルビデオ放送は、例えば、ＤＶＢ規格ＥＴＳ３００８００を作成したヨーロピアン・ブロードキャスティング・ユニオン（ＥＢＵ）及びヨーロピアン・テレコミュニケーションズ・スタンダード・インスティテュート（ＥＴＳＩ）によって現在規格化されている。更に、ＤＶＢ規格プールは、デジタル放送に関わる他の規格も含む。デジタル放送システムでは、データが搬送ストリームにおいて転送される。特に、データは、ＭＰＥＧ−ＴＳベースのＩＰデータとして転送することができる。変調は、例えば、直交周波数分割マルチプレクス（ＯＦＤＭ）変調である。
【０００３】
図１は、公知技術による典型的なＤＶＢ−Ｔ放送を配信するための解決策１００を示す。通常、８ＭＨｚチャンネルのＴＶ放送は、１つの搬送ストリームパケット（ＴＳ）を含み、これは、４−５チャンネル（例えば、フィンランドではＴＶ１、ＴＶ２、ＭＴＶ３及びＮｅｌｏｎｅｎ４）をもつことができ、これらは全て番組識別番号（ＰＩＤ）（例えば、００１、００２、００３、００４）が関連付けされる。図１において、ＤＶＢ−Ｔ送信がいかに形成されるか理解できよう。６８個の順次の記号１、２、６８があり、これらは、８ｋシステムでは、各々、８９６μｓの長さに、２８μｓ−２２４μｓの保護インターバルの長さを加えたものである。２ｋシステムでは、長さは、８ｋシステムの場合の長さの１／４である。これら６８個の記号で１つのフレーム１０２を形成し、そして４つのフレーム（２８２個の記号）で１つのスーパーフレームを形成し、従って、１つのスーパーフレームは、送信パラメータ８ｋ／６１ＱＡＭ／２／３を伴う４０３２ＴＳパケットを有する。例えば、１つの記号１、２、６８は、１４．８ＴＳパケットを含み、但し、記号は、変調されたＤＶＢ−Ｔデータの最小パケット（量子）である。
【０００４】
デジタルビデオ放送では、受信器が移動式であっても、良質のデータ転送を行うことができる。移動式であることは、柔軟に受信するという便宜性をユーザに与える。それ故、地上ＤＶＢ（ＤＶＢ−Ｔ）の移動用途が重要となる。しかしながら、移動ＤＶＢ受信器は、小型サイズのバッテリと共に小型軽量化されねばならない。又、バッテリの充電と充電との間に利用できる動作時間が長くなければならない。これを達成するために、移動ＤＶＢ受信器の電力消費が問題となる。
【０００５】
典型的なＤＶＢ受信器は、チューナー集積回路（ＩＣ）と、個別増幅器とを備えている。現在のチューナーＩＣのほとんどは、＋５Ｖ電源で動作され、低い電圧のバッテリが使用される場合には、＋５Ｖ電圧を与えるために昇圧コンバータがなければならない。しかしながら、バッテリの電圧は変動し得る。例えば、＋３．６Ｖの電圧を供給するＬｉ−Ｉｏバッテリも、現在のチューナーＩＣに適用することができる。データの送信は、バーストで構成されるが、バーストとバーストとの間の時間中、受信器又は受信器のある部分をターンオフすることができる。この種の解決策が特許文書ＵＳ第５，８７８，３３６号及びＵＳ第５，５１５，３６４号に開示されている。
【発明の開示】
【発明が解決しようとする課題】
【０００６】
しかしながら、これらの解決策をＤＶＢ受信器に適用することに関連して幾つかの問題が生じる。第１に、昇圧コンバータ及びＲＦ回路の安定化時間要求を克服するためには、データバーストとデータバーストとの間の中断が充分に長くなければならない。例えば、電流をターンオンすると、復調器は、約１５０ＴＳパケットに対応する約１００個の記号を必要とする。更に、公知の解決策によるビデオコンテンツは、その性質上、ビットレートが可変であり、従って、ビデオデータの特定パケットがいつ到着するか予想するのが困難であり、ひいては、電流をいつターンオンすべきか予想することが困難である。
【０００７】
更に別の問題は、昇圧コンバータがスイッチオフされても、ある場合には、昇圧コンバータの出力電圧が完全に降下しないことである。それ故、昇圧コンバータの残留電圧がＲＦ回路の電源にも現われ、ＲＦ回路が完全にスイッチオフされないことがある。
【課題を解決するための手段】
【０００８】
本発明の目的は、公知技術の問題を解消する受信方法及び受信器を提供することである。特に、本発明の目的は、受信器の電力消費を減少するための解決策を提供すると共に、安定な受信状態及び高速チューナーロックイン時間を維持することである。更に、本発明の１つの目的は、パケットレベル分解能で電力消費を制御するための方法を提供することである。
【０００９】
電力節約を考慮した本発明の目的は、データ受信のインターバル中に受信器を少なくとも部分的にターンオフすることにより満足される。更に、本発明によれば、転送される搬送ストリームパケットは、所定周期の搬送ストリームパケット及び記号を与えるために搬送ストリームジェネレータにおいて発生され、その際に、受信器には、必要に応じて搬送ストリームパケット又は記号の周期性を前もって通知することができる。
【００１０】
本発明の実施形態は、昇圧コンバータに接続されたＲＦ回路をスイッチオフするが、位相固定ループ回路又は位相固定ループの少なくとも一部分に電力を依然維持することをベースとしている。これは、電源遮断からデータ受信準備完了時までのチューナー回復が、主として、ＰＬＬ制御及びロックイン時間によって開始されるためである。この実施形態によれば、選択されたデータストリームパケット間の時間中に、位相固定ループの少なくともある部分に電力が維持されるが、受信器の１つ又は多数の他の部分は、ある時間周期中ターンオフされる。受信されるべく選択されたデータが長時間存在しない場合には、位相固定ループもターンオフされるのが好都合である。
【００１１】
本発明の一実施形態では、転送される搬送ストリームパケットを発生することができ、選択された搬送ストリームパケット、例えば、ＰＩＤ１搬送ストリームパケットは、例えば、各１０番目のパケットが選択された搬送ストリームパケットとなるように周期的に送信され、その際に、受信器は、これら希望のパケットを受信する間にのみオンとなるように構成される。この状態において、受信器には、周期性について前もって通知することができ、周期性が変化しない場合には一度通知されるのが好都合である。この種のパケットレベル電力機構は、受信器のＲＦ及び他のＯＦＤＭ変調器部分の後に使用することができる。他の時間には、電力節約のために受信器の特定の部分をターンオフすることができる。本発明の別の実施形態では、選択された搬送ストリームパケットを、他の所定の順序、例えば、時間に基づく順序又はデータコンテンツに基づく順序でも送信することができる。
【００１２】
本発明の実施形態によれば、受信器は、例えば、サービス情報（ＳＩ）における関連データにより、配送される搬送ストリームパケットの周期性又は他の所定の順序について通知される。本発明の実施形態による別の方法は、受信器が、例えば、インテリジェントアルゴリズムを使用して周期性を自動的に見出し又は検出ことである。受信器は、それが周期性を検出するか、又は周期性について通知されると、その周期性にロックインすることができる。更に、ある情報が位置する搬送ストリームパケット及び／又は記号の周期性は、他のデータグラムにより又は相互作用チャンネルにおいて受信器へ通信することもできる。しかしながら、周期性は、データ転送プロセスの始めに受信器へ一度通信され、次いで、周期性が変化する場合にのみ通信されるのが好都合である。
【００１３】
この実施形態において、位相固定ループ回路は、安定化された低電圧バッテリから直接電力供給することができる。復調器もこの電圧を使用することができる。ＲＦ回路の供給電圧は、昇圧コンバータにより供給され、それ故、選択されたデータストリームパケット間の中断中にスイッチオフすることができる。昇圧コンバータのスイッチオフ中に、位相固定ループ回路は、バッテリからの電力を維持する。又、復調器は、例えば、内部のスイッチオフ機能を制御することによりその周期中にスイッチオフすることもできる。電圧制御発振器の同調電圧は、別の昇圧コンバータを使用することにより形成される。又、同調電圧は、安定化時間が著しく短い場合には、中断中にスイッチオフされてもよい。
【００１４】
搬送ストリームパケットを受け取る無線受信器の電力消費を制御するための本発明による方法であって、選択された搬送ストリームパケットを所定の順序で上記受信器へ転送する方法は、
−少なくとも２つの選択された搬送ストリームパケット間の時間中のある周期中に上記受信器の少なくとも一部分の電力をターンオフし、そして
−後続する選択された搬送ストリームパケットの少なくとも１つをいつ受信すべきか上記受信器に通知する、
ということを特徴とする。
【００１５】
又、本発明は、搬送ストリームパケットを受け取る無線受信器の電力消費を制御するための構成体であって、無線送信構成体及び無線受信器と、選択された搬送ストリームパケットを所定の順序で上記無線受信器へ転送する手段とを備えた構成体において、
−少なくとも２つの選択された搬送ストリームパケット間の時間中のある周期中に上記受信器の少なくとも一部分の電力をターンオフする手段と、
−後続する選択された搬送ストリームパケットの少なくとも１つをいつ受信すべきか上記受信器に通知する手段と、
を備えたことを特徴とする構成体にも適用される。
【００１６】
又、本発明は、搬送ストリームパケットを発生して受信器へ転送する無線送信構成体であって、選択された搬送ストリームパケットを所定の順序で上記受信器へ転送する手段を備えた無線送信構成体において、
−順序、即ち後続する選択された搬送ストリームパケットの少なくとも１つをいつ受信すべきかを上記受信器に通知する手段、
を備えたことを特徴とする無線送信構成体にも適用される。
【００１７】
更に、本発明は、搬送ストリームパケットを受信するための無線受信器であって、選択された搬送ストリームパケットを所定の順序で受信するように構成された無線受信器において、
−後続する選択された搬送ストリームパケットの少なくとも１つをいつ受信すべきかの情報を受け取る手段と、
−少なくとも２つの選択された搬送ストリームパケット間の時間中のある周期中に上記受信器の少なくとも一部分の電力をターンオフする手段と、
を備えたことを特徴とする受信器にも適用される。
【００１８】
本発明の別の特徴によれば、搬送ストリームパケットを受信する無線受信器の電力消費を制御するためのコンピュータプログラム製品であって、選択された搬送ストリームパケットを所定の順序で上記受信器へ転送するようにするコンピュータプログラム製品において、
−少なくとも２つの搬送ストリームパケット間の時間中のある周期中に上記受信器の少なくとも一部分の電力をターンオフするためのコンピュータプログラムコードと、
−後続する選択された搬送ストリームパケットの少なくとも１つをいつ受信すべきか上記受信器に通知するためのコンピュータプログラムコードと、
を備えたコンピュータプログラム製品が提供される。
【００１９】
上記コンピュータプログラムコードは、受信器又は受信構成体において実施されるハードウェア（デジタル信号処理）、ファームウェア又はソフトウェアであるのが好都合である。
本発明の１つの好ましい実施形態は、搬送ストリームの発生を使用して、選択された搬送ストリームパケット及び記号の所定の周期を与えそしてサービス情報により周期性について受信器に通知し、その際に、受信器の少なくとも１つ又は多数の他の部分を、選択されたデータストリームパケット間のある時間周期中にターンオフすることであると考えられる。
【００２０】
本発明の他の好ましい実施形態は、従属請求項に記載する。
「位相固定ループ」（ＰＬＬ）という語は、出力信号を発生する制御型発振器を包含するものとしばしば理解される。しかしながら、ここでは、「位相固定ループ」は、制御部分を包含するものと考え、制御可能な発振器は、この用語に含まれないと考える。この定義は、発振器がミクサと一緒に集積回路に配置されるのが好都合であるが、制御部分は、個別の集積回路に配置されることによるものである。
本発明の幾つかの実施形態を従属請求項に記載する。
【発明を実施するための最良の形態】
【００２１】
以下、添付図面を参照して、本発明の好ましい実施形態を詳細に説明する。
図２は、本発明によりデータを転送するための方法２００を例示するフローチャートである。無線送信構成体は、ステップ２０２において、記号又は記号のグループに情報を慎重に挿入する。実際に、無線送信構成体は、ステップ２０４において、ｎを整数とすれば、ｎ・１４．８の搬送ストリームパケットグループを形成する。本発明の実施形態では、受信器は、特定の情報、例えば、１つのＴＶチャンネル等のあるデータのみの受信を希望してもよく、その際に、無線送信構成体は、受信器により望まれる情報を、本発明により記号及び／又は搬送ストリームパケットへ構成することができ、従って、転送される記号及び／又は搬送ストリームパケットの順序を前もって決定することができる。転送される記号及び／又は搬送ストリームパケットの所定の順序は、選択された記号及び／又は搬送ストリームパケットが例えば各１０番目の記号及び／又は搬送ストリームパケットであるときには、周期的でよい。この周期は、時間に基づくもの及び／又はデータコンテンツに基づくものでもよい。
【００２２】
データ転送プロセスのステップ２０６は、任意であり、例えば、一度又は必要なときに実行される。ステップ２０６は、例えば、周期性が変化するときの状態で実行されてもよい。しかしながら、ステップ２０６では、無線送信構成体は、ある情報が配置された選択された記号及び／又は搬送ストリームパケットの順序又は周期を受信器へ通信することができる。本発明の一実施形態では、順序又は周期性は、所定の順序又は周期性が示されたデータグラムを送信することにより受信器へ通信することができる。又、順序又は周期性は、サービス情報（ＳＩ）における関連データにより、或いは順序又は周期性に関するデータを相互作用チャンネルを経て送信することにより、受信器へ通信されてもよい。しかしながら、転送される記号及び／又は搬送ストリームパケットの順序又は周期性を通信することは任意であり、周期性は、データ転送プロセスの始めに一度だけ受信器に通信されるのが好ましい。周期性は、他のときにも、例えば、周期性が変化するときにも、受信器に通信できるのが好都合である。しかしながら、本発明の一実施形態によれば、受信器は、インテリジェントアルゴリズムを使用することにより周期性を見出し又は検出することもできるので、周期性を受信器へ通信することは全く必要ないことに注意されたい。
【００２３】
無線送信構成体は、ステップ２０８において、搬送ストリームパケット及び／又は記号を搬送する。本発明によれば、無線送信構成体は、選択された記号及び／又は搬送ストリームパケットを所定の順序又は周期で転送して、その選択された記号及び／又は搬送ストリームパケットの受信と受信との間のインターバル中に受信器を少なくとも部分的にターンオフできるようなモードで動作するように構成できる。
【００２４】
図３は、本発明の一実施形態に基づきデータを受信するための方法３００を例示するフローチャートである。最初に、受信器は、スタンバイモードにあるか、又は公知技術で知られた他の何らかのエネルギー節約モードにあって、受信器のある部分がターンオフされており、その際に、全ての受信器部分は、ステップ３０１においてターンオンされるのが好都合であり、そして送信データが受信される（３０２）。次いで、ステップ３０４において、搬送ストリームパケットを受信することができ、その後、ステップ３０６において、考えられる周期性情報が受け取られる。考えられる周期性情報は、ステップ３０５においてチェックされる。ステップ３０６において周期性情報が受信された場合には、受信器は、ステップ３１２を遂行し、そしてその周期性にロックインする。周期性が通知されない場合には、受信器は、例えば、ステップ３０８においてインテリジェントアルゴリズムを使用することにより、周期性を自動的に見出し又は検出するように試みることができる。受信器は、周期性を検出すると、ステップ３１２を遂行して、その周期性にロックインすることができ、そして周期性が見つからない場合には、受信器は、ステップ３１０に留まり、ステップ３０４において次の搬送ストリームパケットが受信されるのを待機する。ステップ３０５において新たな周期性に関する情報がない場合には、ステップ３１４を実行するのが好都合である。本発明の一実施形態では、受信器は、例えば、ある時間中に次の搬送ストリームパケットを待機し、その後、受信器の少なくとも一部分をスイッチオフするように構成することもできる。
【００２５】
受信器がステップ３１２において周期性にロックインされるか、又は早期段階から周期性が分かるときには、受信器の少なくとも一部分がステップ３１４においてスイッチオフされ、その後、受信器は、ステップ３１６において所定時間又は信号を待機することができる。所定時間後に、受信器の少なくとも一部分がステップ３１８においてターンオンされ、ステップ３０４において次の搬送ストリームパケットを受信する。又、ある信号を受信すると、ステップ３１８で遂行されるプロセスがターンオンされる。しかしながら、この状態では、ある信号を受信して受信器のプロセスをターンオンさせるために受信器の一部分に電力供給しなければならない。
【００２６】
ステップ３０６−３１２は任意であり、従って、ステップ３０５において新たな周期性に関する情報がない場合には、受信器は、ステップ３０５の後にステップ３１４を実行し、受信器の少なくとも一部分をスイッチオフすることに注意されたい。受信器は、ステップ３０６、３０８又は３１２の１つを、データ受信プロセス３００の始めに一度だけ遂行し、そしてステップ３１２において周期性にログインした後に、受信器は、ステップ３０４、３１４、３１６及び３１８だけを遂行するのが好都合である。又、本発明の一実施形態によれば、受信器が、例えば、サービス情報（ＳＩ）における関連データによりステップ３０５において周期性の変化について通知された場合には、受信器がステップ３０６及び／又は３０８を遂行して、新たな周期性を見出し、そしてその新たな周期性にログインすることも考えられる。
【００２７】
又、図３のフローチャートのステップ３０４−３１８の少なくとも一部分は、ループとして実行されてもよいことにも注意されたい。又、ステップの順序は、図３に示す順序に限定されない。
【００２８】
図４は、本発明による無線送信器、例えば、ＤＶＢ−Ｔ送信器のための例示的構成体４００の回路図で、この無線送信器４００は、搬送ストリームパケット及び／又は記号をある順序で発生して送信するように構成されている。無線送信器４００は、無線放送を送信するための当業者に知られた少なくとも本質的な手段を備えている。更に、本発明による無線送信器４００は、受信器へあるデータを送信するために受信器から考えられる問合せを受信する手段４０２と、ある瞬間に希望のデータを含む選択された搬送ストリームパケット及び／又は記号を送信するための所定の順序を発生する手段４０４と、その選択された搬送ストリームパケット及び／又は記号を所定の順序で送信する手段４０６とを備えている。
【００２９】
更に、無線送信器４００は、サービス情報（ＳＩ）における関連データにより上記選択されそして転送される搬送ストリームパケット及び／又は記号の所定順序又は周期を受信器に通知するための手段４０８も備えている。又、無線送信器４００は、データグラム又は相互作用チャンネルにより所定の順序又は周期性を受信器に各々通知するための手段４１０及び／又は手段４１２も含むことができる。本発明によれば、搬送ストリームパケット及び／又は記号の発生は、無線送信器の特定搬送ストリームジェネレータ４１４において管理されるのが好都合である。
【００３０】
図５は、本発明による無線受信器の例示的構成５００を示す回路図であり、無線受信器５００、例えば、ＤＶＢ−Ｔ受信器は、無線送信を受け取り、そして電力消費を制御するように構成される。無線受信器５００は、無線放送を受信するための当業者に知られた少なくとも本質的な手段を備えている。
【００３１】
本発明の一実施形態では、ＲＦ信号は、アンテナをもつ無線インターフェイスから受信され、そして受信された信号は、ＲＦ増幅器で増幅される。この信号は、次いで、制御可能な周波数のパスバンドフィルタでフィルタリングされ、そして制御可能な利得のＡＧＣ（自動利得制御）増幅器で再び増幅される。パスバンドフィルタでフィルタリングされた後、信号はミクサへ送り込まれる。電圧制御発振器は、局部発振器の信号をミクサの第２入力へ供給する。ミクサの出力からの中間周波信号は、狭帯域のパスバンドフィルタで増幅及びフィルタリングすることができる。フィルタリングされた信号は、ＩＦ増幅器で増幅することができ、これは、ＡＧＣ増幅器に対するフィードバック制御信号を与える。増幅されたＩＦ信号は、復調器に送り込むことができ、これは、中間周波信号を、ＲＦ信号に変調された情報に対応する搬送ビットストリームへと復調する。復調器は、アナログ／デジタルコンバータＡＤ、高速フーリエ変換器ＦＦＴ、順方向エラー修正ユニットＦＥＣ、チャンネル相関ユニットＣＨ．ＣＯＲ、チャンネル推定器ＣＨ．ＥＳＴ、ＡＧＣユニット、Ｉ２Ｃバス用のインターフェイス、及び搬送ストリーム用の出力バッファＴＳ  ＯＵＴのような多数の機能的ブロックを含むことができる。
【００３２】
受信器の合成器は、ＰＬＬ（位相固定ループ）を備え、これは、ＶＣＯ（電圧制御発振器）を制御し、その出力信号は、増幅器によって増幅されて、ＰＬＬの出力信号を発生する。
【００３３】
本発明による無線受信器５００は、搬送ストリームパケット及び／又は記号を受信するための手段５０２と、選択された搬送ストリームパケット及び／又は記号の順序に関する情報を受信するための手段５０４とを備えている。又、無線受信器５００は、希望の又は選択されたデータを受信器へ送信するために考えられる問合せ等を無線送信器へ送信する手段５０６も含むことができる。又、無線受信器５００は、サービス情報（ＳＩ）における関連データにより、選択されそして転送される搬送ストリームパケット及び／又は記号の所定順序又は周期性に関する情報を受信する手段５０８も備えている。更に、無線受信器５００は、データグラム又は相互作用チャンネルにより所定の順序又は周期性に関する情報を各々受信するための手段５１０及び／又は手段５１２も含むことができる。
【００３４】
更に、本発明の一実施形態では、無線受信器５００は、例えば、ＲＦコントローラ５２２、フロントエンド５２４のデジタル部分、デマルチプレクサコントローラ５２６、マイクロプロセッサ５２８、媒体デコーダ５３０、ディスプレイ５３２、又は他の周辺機器のような受信器の少なくとも一部分の電力を制御するための手段５１４を備えている。この電力制御手段５１４は、受信器の上記部分の電力をターンオン／オフするための手段５１６を含むこともできるし、或いは又、手段５１４は、手段５１６と共に動作するように構成される。無線受信器は、電源６００も備えている。
【００３５】
更に、本発明による無線受信器５００は、受信されるべき搬送ストリームパケット及び／又は記号の周期性を自動的に検出するための手段５１８を含むのが好都合である。無線受信器５００は、例えば、周期性を検出するためのインテリジェントアルゴリズムを使用するように構成できる。通常、無線受信器５００は、その周期性にロックインするための手段５２０も備えている。
【００３６】
電力制御手段５１４は、例えば、少なくとも２つの搬送ストリームパケット間の時間中のある周期中に受信器の少なくとも一部分の電力をターンオフするためのコンピュータプログラムコードを備えたコンピュータプログラム製品によって実施されてもよい。又、このコンピュータプログラム製品は、後続する選択された搬送ストリームパケットの少なくとも１つをいつ受信すべきか上記受信器に通知するためのコンピュータプログラムコードも含んでもよい。コンピュータプログラムコードは、ハードウェア（デジタル信号処理）、ファームウェア又はソフトウェアで実施できるのが好都合である。
【００３７】
上述した手段及び／又は要素、例えば、ＲＦ増幅器、ＡＧＣ及びフィルタは、図６に示す無線受信器の電源構成体の一部分でもよいことに注意されたい。
図６は、本発明による無線受信器の電源構成体６００の一例を示す。この電源６００は、低電圧バッテリ６０２を含むのが好都合であり、その電圧は、２つの個別の昇圧コンバータによりＲＦ回路供給電圧及び同調電圧に変換される。第１の昇圧コンバータ６０４は、ＲＦ回路の供給電圧を供給し、そして第２の昇圧コンバータ６０８は、電圧制御発振器の同調電圧を供給する。昇圧コンバータ６０４、６０８は、例えば、「電源スイッチ」制御信号でターンオン／オフすることができる。この電源スイッチ制御信号は、例えば、コントローラユニットから受け取ることができ、このコントローラユニットは、更に別の電源スイッチ信号又はＩ２Ｃバスにより復調器６０６をオン／オフ状態に制御することもできる。
【００３８】
位相固定ループを含む低電力集積回路（ＩＣ）６１８は、安定化低電圧バッテリ６０２、昇圧コンバータ６０４、６０８及び復調器６０６に直結される。他のＲＦ回路及びＩＣは、ＲＦ回路電源の昇圧コンバータ６０４及び同調電圧コンバータ６０８に発生されるＲＦ回路供給電圧に接続される。データ送信の中断中に、ＤＣ昇圧コンバータ６０４及び６０８並びに復調器ＩＣ６０６は、ＩＣの個別電源ダウンピンからスイッチダウンされる。それ故、ＲＦ回路電源に接続された全ての装置、例えば、ＲＦ増幅器６１０、制御可能な利得のＡＧＣ（自動利得制御）増幅器６１２、ミクサ／発振器ＩＣ６１４、及びＩＦ増幅器ＩＣ６１６は、スイッチオフされる。バッテリ電源６０２に直結されている位相固定ループのＩＣは、送信チャンネル周波数にロックインする準備ができている。復調器は、既に使用されている全てのパラメータ、例えば、コードレート、コンステレーション、保護インターバル、及びデータ送信中断中のチャンネル推定を保持する。
【００３９】
２つの昇圧コンバータ６０４及び６０８は、別々に制御することができ、従って、ＲＦ回路電源のみ、又はＲＦ回路電源と同調電圧電源の両方を、データ受信中断中にターンオフすることができる。位相固定ループの集積回路も、長い送信中断中に、電源ダウンスイッチ（ＩＣピン）から又はＩ２Ｃバス（ソフトウェア）を経てターンダウンすることもできる（この特徴がサポートされていれば）。昇圧コンバータは、Ｉ／Ｏポートを使用することにより復調器ＩＣからスイッチすることができる。昇圧コンバータは、個別（電力）コントローラ又はロジックから制御することができる。しかしながら、電力は、例えば、Ｉ／Ｏポートを使用することにより復調器ＩＣからスイッチされてもよい。バッテリの供給電圧及び復調器の入力電圧は低いのが好ましい。
【００４０】
図７は、本発明により無線受信器の電力消費を制御するための例示的構成体７００を示す回路図である。この構成体は、少なくとも、無線受信器と、無線送信装置と、無線放送を送信するための公知の典型的な手段とを備え、更に、この構成体は、選択された搬送ストリームパケットを上記受信器へ所定の順序で転送するための手段を備えている。搬送ストリームパケットは、所定の順序で且つ周期的に転送されるのが好都合である。
【００４１】
本発明の一実施形態では、構成体７００は、少なくとも２つの選択された搬送ストリームパケット間の時間中のある周期中に受信器の少なくとも一部分の電力をターンオフするための手段７０２と、後続の選択された搬送ストリームパケットの少なくとも１つをいつ受信すべきか上記受信器に通知するための手段７０４とを備えている。又、この構成体７００は、搬送ストリームパケットを受信器に周期的に転送するための手段７０６も備えている。これは、例えば、タイミングユニット７０６により達成することができる。更に、構成体７００は、選択された搬送ストリームパケットを発生すると共に、所定周期の搬送ストリームパケット又は記号を供給するための搬送ストリームパケットジェネレータ等も備えている。
【００４２】
更に、本発明による構成体７００は、選択されそして転送される搬送ストリームパケットの順序又は周期性を受信器へ通信するための手段７０８、７１０も備えている。これは、例えば、サービス情報（ＳＩ）メッセージにおいて関連データを転送するか、又は相互接続チャンネル７１０を経て受信器へ周期性を通信することにより達成できる。或いは又、この構成体は、インテリジェントアルゴリズムを使用して受信器により周期性を自動的に検出するための手段７１２を備えてもよい。又、この構成体は、上記受信器をその周期性にロックインするための手段７１４も備えている。
【００４３】
受信器の制御ユニットの構造は、ここでは詳細に説明しない。一般に、テレコミュニケーション受信器の機能は、マイクロプロセッサ（１つ又は複数）の形態の処理能力と、メモリ回路の形態のメモリとを含むコントローラによって制御される。このような構成は、現状技術で知られている。既知のテレコミュニケーション受信器を本発明によるテレコミュニケーション装置へ変換するためには、上述したハードウェア変更に加えて、受信器コントローラのマイクロプロセッサ（１つ又は複数）が上述した制御オペレーションを実行するように命令する１組のマシン読み取り可能な命令をメモリ手段に記憶することが必要となる。このような命令を構成してメモリに記憶するには、本発明の教示と結合するときに、当業者の能力の範囲内である既知の技術を必要とするに過ぎない。
【００４４】
以上、本発明による解決策の実施形態を説明した。本発明による原理は、当然、特許請求の範囲内で変更することができ、例えば、実施の細部及び使用の範囲の変更により変更することができる。
上記説明では、ＤＶＢ−Ｔ受信器が一例として使用された。しかしながら、本発明は、当然、送信が連続的ではない通信システムの受信器にも適用できる。このようなシステムの一例は、時分割多重アクセス（ＴＤＭＡ）技術を使用するデジタルオーディオブロードキャスティング（ＤＡＢ）及び移動テレコミュニケーションシステムである。
【００４５】
以上の説明では、電圧のようなパラメータに対して一例として値が与えられた。しかしながら、回路設計に基づき、他の値も、当然、適用できる。
本発明は、上記実施形態を参照して例示され、本発明の多数の効果が実証された。本発明は、これら実施形態のみに限定されるものではなく、特許請求の範囲内に入るあらゆる実施形態も包含する。
【図面の簡単な説明】
【００４６】
【図１】公知技術に基づき典型的なＤＶＢ−Ｔ放送を配信するための解決策の概略図である。
【図２】本発明によりデータを転送するための方法を例示するフローチャートである。
【図３】本発明によりデータを受け取るための方法を例示するフローチャートである。
【図４】本発明による無線送信器の構成体を示す回路図である。
【図５】本発明による受信器の電源構成体を例示する図である。
【図６】本発明による無線受信器の構成体を例示する回路図である。
【図７】本発明による無線受信器において電力消費を制御する構成体を例示する回路図である。
【図１】
2005510115.tif 000003
【図２】
2005510115.tif 000004
【図３】
2005510115.tif 000005
【図４】
2005510115.tif 000006
【図５】
2005510115.tif 000007
【図６】
2005510115.tif 000008
【図７】
2005510115.tif 000009
【国際調査報告】
2005510115.tif 000010
2005510115.tif 000011
2005510115.tif 000012